(57)【要約】【課題】  装飾体が取り付けられたボールチェーンをクリップの尾端部に、工具を必要とせずに容易に取り付けることが可能であり、取り付けた後に簡単には脱落することのない装飾体が付設された筆記具を提供する。【解決手段】  クリッ２裏面の連結部２１よりも尾端側に、軸筒１またはキャップの表面との隙間がボールチェーン３のボール３１の径より小さな突部２２を形成し、突起の軸線方向の幅は、ボールチェーンの隣接するボールとボールの間の谷間状の空間が通過不可能な厚さとし、突起と軸筒またはキャップの表面との隙間にあらかじめループ状に連結されたボールチェーンを筆記具の軸線方向に圧入するとクリップが弾性変形してボールチェーンが取り付けられるようにする。【選択図】  図３
2008126436.tif 000002
【特許請求の範囲】
【請求項１】
合成樹脂製の軸筒またはキャップの表面に連結部を介して一体に成形されたクリップの尾端部に装飾体が取り付けられたループ状の紐体が連結された筆記具において、
前記紐体はボールが短いジョイント棒で首振り可能に連結されたボールチェーンであり、前記クリップ裏面の該連結部よりも尾端側に、軸筒またはキャップの表面との隙間がボールチェーンのボールの径より小さな突部が形成されて、該突起、クリップの裏面、軸筒またはキャップの表面、および該連結部で抱持空間が画定され、かつ前記突起の筆記具の軸線方向の幅は、ボールチェーンの隣接するボールとボールの間の谷間状の空間が通過不可能な厚さであり、
前記突起と軸筒またはキャップの表面との隙間にあらかじめループ状に連結されたボールチェーンを筆記具の軸線方向に圧入するとクリップが弾性変形してボールチェーンが該抱持空間に抱持されることを特徴とする筆記具。
【発明の詳細な説明】
【技術分野】
【０００１】
本発明は、マスコットやキャラクターなどを模した装飾体が取り付けられた紐体がクリップに連結された筆記具に関する。
【背景技術】
【０００２】
従来より、筆記具の興趣を増すために、小さな人形や動物などのマスコットやキャラクターなどを模した装飾体が付設されることがある。つまり、この装飾体を取り付けたループ状に連結されたチェーンなどの紐体をクリップの尾端側に取り付ける。紐体をクリップに取付つける構造はいろいろな方法が提案され、実用化されているが、いずれにしても部品点数が少なくて工具などが不要であり、簡単な操作で取り付け可能であることが望ましい。また、クリップに取り付けた紐体がクリップなどから簡単には脱落しないようにする必要がある。
【特許文献１】実用新案登録公報第３０５８１３４号
【発明の開示】
【発明が解決しようとする課題】
【０００３】
小さな中空のボールを短いジョイント棒で首振り可能に連結したボールチェーンは、見た目に重量感や高級感があるので装飾体を取り付ける紐体として好まれる。図５と図６は、ボールチェーンをクリップの尾端側に取り付ける従来例を示すが、図例はノック式ボールペンの軸筒１の尾端部にクリップ２が連結部２１を介して一体に成形されており、連結部２１には取り付け孔９が設けられている。一方、装飾体（図示せず）が取り付けられたボールチェーン３の一端にジョイント部４が取り付けられている。このジョイント部４は両端が袋状をしており、ボールチェー３の一端のボールを中央の切欠き部から差し込んでから端部の袋状部に引き寄せてかしめることにより固定されている。そして、図６に示すように、ボールチェー３を取り付け孔９に通し、他端のボールをジョイント部４の中央の切欠き部から差し込んでから他端の袋状部に引き寄せて工具でかしめ、ボールチェーン３をループ状にしてクリップ２に取り付ける。
【０００４】
ここで、ボールチェーン３の長さは例えば３ｃｍ程度と短く、このため、装飾体が取り付けられたこのボールチェーン３を取り付け孔９に通してから他端をジョイント部４でかしめて円環状にするのは操作が困難であって手間を要し、また、かしめるための工具も必要とする。そこで本発明は、ボールチェーンである紐体をクリップの尾端部に、工具を必要とせずに容易に取り付けることが可能であり、取り付けた後に簡単には脱落することのない装飾体が付設された筆記具を提供することを目的とする。
【課題を解決するための手段】
【０００５】
かかる目的を達成するために、本発明は、合成樹脂製の軸筒またはキャップの表面に連結部を介して一体に成形されたクリップの尾端部に装飾体が取り付けられたループ状の紐体が連結された筆記具において、紐体はボールが短いジョイント棒で首振り可能に連結されたボールチェーンであり、クリップ裏面の連結部よりも尾端側に、軸筒またはキャップの表面との隙間がボールチェーンのボールの径より小さな突部を形成して、この突起、クリップの裏面、軸筒またはキャップの表面、および連結部で抱持空間を画定し、かつ突起の軸線方向の幅は、ボールチェーンの隣接するボールとボールの間の谷間状の空間が通過不可能な厚さとし、突起と軸筒またはキャップの表面との隙間にあらかじめループ状に連結されたボールチェーンを筆記具の軸線方向に圧入するとクリップが弾性変形してボールチェーンが抱持空間に抱持されるようにする。
【発明の効果】
【０００６】
このように、クリップの裏面に形成された突起と軸筒またはキャップの表面との隙間に軸線と直交する姿勢であらかじめループ状に連結されたボールチェーンを圧入するとクリップが弾性変形してボールチェーンが抱持空間に抱持されるのでワンタッチで取り付けることができる。また、ボールチェーンは隣接するボールとボールの間に比較的大きな谷間状の空間が存在するが、突起の筆記具の軸線方向の幅は、ボールチェーンのこの谷間状の空間が通過不可能な厚さであるので、ボールチェーンが筆記具の軸線に直交する方向に引っ張られても抜け落ちることがない。
【発明を実施するための最良の形態】
【０００７】
図１において、マスコットやキャラクターなどを模した装飾体（図示せず）が取り付けられる紐体は、外径が１ｍｍ程度の小さなボール３１が短いジョイント棒３２で首振り可能に連結されたボールチェーン３であり、あらかじめループ状に連結されている。筆記具は例えばノック式ボールペンであり、合成樹脂製の軸筒１の尾端部表面にクリップ２が連結部２１を介して一体に形成されている。この軸筒１はキャップであってもよい。そして、クリップ２裏面の連結部２１より尾端側に突起２２が形成されている。突起２２の表面は尾端側が円弧状であり、先端側がクリップ２の裏面に対してほぼ直角になっている。そして、突起２２と軸筒１の表面との隙間はボールチェーン３のボール３１の外径よりも少し小さくなっている。このように、突起２２、クリップ２の裏面、連結部２１、軸筒１の表面でボールチェーン３を抱持するための抱持空間５が画定されている。
【０００８】
図１に示す状態から筆記具の軸線に直交する姿勢のボールチェーン３を筆記具の軸線方向に圧入するが、突起２２の尾端側の表面が円弧状であるので圧入しやすく、圧入の過程でボール３１によってクリップ２が弾性変形して突起２２と軸筒１の表面との隙間が拡開し、図２に示すように，ボールチェーン３が突起２２を乗り越えてほぼ３個のボール３１が抱持空間５に抱持されるので、ワンタッチで極めて簡単にボールチェーン３をクリップ２に取り付けることができる。そして、突起２２の先端側がクリップ２の裏面に対してほぼ直角になっているので、ボールチェーン３が一旦抱持空間５に抱持されると、ボールチェーン３に筆記具の尾端側に引っ張る力が作用しても簡単には脱落しない、
【０００９】
次に、図３に示すように、ループ状のボールチェーン３に筆記具の軸線に直交する方向引っ張る力が働いたときは、図４に示すように、突起２２の軸線方向の幅は、ボールチェー３の隣接するボール３１とボール３１の間の谷間状の空間が通過不可能な厚さになっているので、突起２２とボール３１は当接部２２ａにおいて当接し、簡単には脱落しないようになっている。つまり、ボールチェーン３のいずれの方向に引っ張る力が働いても簡単には脱落しない。
【図面の簡単な説明】
【００１０】
【図１】本発明実施例のボールチェーン取り付け前の（Ａ）側面図と（Ｂ）正面図である。
【図２】本発明実施例のボールチェーン取り付け後の（Ａ）側面図と（Ｂ）正面図である。
【図３】ボールチェーンに筆記具の軸線の直交方向に引っ張られた状態の（Ａ）側面図と（Ｂ）正面図である。
【図４】図４の要部の説明図である。
【図５】従来例のボールチェーン取り付け前の説明図である。
【図６】従来例のボールチェーン取り付け後の説明図である。
【符号の説明】
【００１１】
１    軸筒
２    クリップ
２１    連結部
２２    突起
２２ａ  当接部
３    ボールチェーン
３１    ボール
３２    ジョイント棒
４    ジョイント部
５    抱持空間
９    取り付け孔
【図１】
2008126436.tif 000003
【図２】
2008126436.tif 000004
【図３】
2008126436.tif 000005
【図４】
2008126436.tif 000006
【図５】
2008126436.tif 000007
【図６】
2008126436.tif 000008